(57)【要約】【課題】給湯装置を加熱機器の熱から保護しつつ、ユーザーに対して給湯装置の操作部を簡単に操作させることができる給湯装置カバーを提供する。【解決手段】本発明の給湯装置カバー１は、加熱機器８の上方に設置され操作部７５を有する給湯装置７に用いられる。給湯装置７の下方に配置される下壁２と、下壁２の前端部から上方に向かって設けられ操作部７５に対向配置される前壁３とを備えている。前壁３の一部又は全部が開閉自在となっている。【選択図】図１
2014009863.tif 000002
【特許請求の範囲】
【請求項１】
加熱機器の上方に設置され操作部を有する給湯装置に用いられる給湯装置カバーであって、
前記給湯装置の下方に配置される下壁と、
前記下壁の前端部から上方に向かって設けられ前記操作部に対向配置される前壁と
を備え、
前記前壁の一部又は全部が開閉自在となっている
ことを特徴とする給湯装置カバー。
【発明の詳細な説明】
【技術分野】
【０００１】
本発明は、給湯装置に用いられる給湯装置カバーに関する。
【背景技術】
【０００２】
特許文献１には、給湯装置が開示されている。この給湯装置は、筐体と、操作部とを備えている。操作部は、筐体に設けられている。操作部は、例えば、ユーザーの手指により操作される。
【先行技術文献】
【特許文献】
【０００３】
【特許文献１】特開２００２−７１２１３号公報
【発明の概要】
【発明が解決しようとする課題】
【０００４】
ところで、この給湯装置は、ガスこんろや電磁調理器のような加熱機器の上方に設置される場合がある。この場合、加熱機器が使用されると、加熱機器からの輻射熱や燃焼ガスにより、給湯装置の筐体や操作部が加熱されて高温になってしまう可能性がある。
【０００５】
そこで、本発明者は、給湯装置カバーを用いて給湯装置を下方から覆うことで、給湯装置を加熱機器の輻射熱等から保護しようとした。
【０００６】
しかしながら、給湯装置カバーにより給湯装置を下方から覆うと、給湯装置の操作部も給湯装置カバーに覆われてしまう。このため、ユーザーは、操作部を操作しようとしても、操作部が給湯装置カバーに覆われていて使い勝手が悪い。
【０００７】
本発明は、上記事情に鑑みてなされたものであり、その目的とするところは、給湯装置を加熱機器の熱から保護しつつ、ユーザーに対して給湯装置の操作部を簡単に操作させることができる給湯装置カバーを提供することにある。
【課題を解決するための手段】
【０００８】
本発明の給湯装置カバーは、加熱機器の上方に設置され操作部を有する給湯装置に用いられる給湯装置カバーであって、前記給湯装置の下方に配置される下壁と、前記下壁の前端部から上方に向かって設けられ前記操作部に対向配置される前壁とを備え、前記前壁の一部又は全部が開閉自在となっていることを特徴とする。
【発明の効果】
【０００９】
本発明の給湯装置カバーによれば、給湯装置を加熱機器の熱から保護できる上に、ユーザーは、給湯装置の操作部を簡単に操作することができる。
【図面の簡単な説明】
【００１０】
【図１】実施形態１の給湯装置カバーを取り付けた状態の正面図である。
【図２】実施形態１の給湯装置カバーを取り付けた状態の側面図である。
【図３】実施形態２の給湯装置カバーを取り付けた状態の正面図である。
【図４】実施形態２の給湯装置カバーを取り付けた状態の側面図である。
【図５】実施形態３の給湯装置カバーを取り付けた状態の正面図である。
【図６】実施形態３の給湯装置カバーを取り付けた状態の側面図である。
【発明を実施するための形態】
【００１１】
以下、本発明の実施形態について添付図面に基づいて説明する。
【００１２】
実施形態１の給湯装置カバー１は、屋内の壁面９０に設けられる給湯装置７に用いられるものである。以下では、図１，２に示すように、台所に設置されたこんろ台９１の後方の壁面９０に、給湯装置７及び給湯装置カバー１を設けた例につき説明する。
【００１３】
給湯装置７は、図１，２に示されるように、屋内の壁面９０に取り付けられている。給湯装置７は、加熱機器８よりも上方に位置している。給湯装置７は、左右方向において、加熱機器８と重なる位置に配置されている。
【００１４】
加熱機器８は、ガスこんろである。言い換えると加熱機器８は燃焼機器８０である。加熱機器８は、複数の燃焼部８１を有している。燃焼部８１は、こんろバーナーにより構成されている。加熱機器８は、こんろ台９１上に配置されている。
【００１５】
なお、加熱機器８は、電熱線等を用いた電気こんろであってもよいし、電磁調理器（ＩＨ（Induction Heating）調理器）であってもよい。
【００１６】
給湯装置７は、ガス給湯装置である。給湯装置７は、供給された水をケーシング７１に内装した図示しないガスバーナーの燃焼により加熱して温水を得るものである。ケーシング７１は、金属板をプレス加工することで、略縦長直方体状に形成されている。ケーシング７１の下面には、配管接続口部として、ガス管接続口部７２と、給水管接続口部７３と、出湯管接続口部７４とが設けられている。ガス管接続口部７２には、給湯装置７内のガスバーナーに燃料ガスを供給するガス管９２が接続される。給水管接続口部７３には、給湯装置７に加熱される水を供給する給水管９３が接続される。出湯管接続口部７４には、給湯装置７により生成された温水を台所のカラン等の機器に供給する出湯管９４が接続される。
【００１７】
これら配管接続口部に接続された配管のうち、ガス管９２及び給水管９３は、図２に示されるように、壁面９０において加熱機器８よりも上方に位置する箇所から前方に向かって延出し、その前端から上方に向かって延出している。ガス管９２及び給水管９３の上端には、対応する配管接続口部が接続されている。また、出湯管９４は温水を供給する機器の位置に応じて適宜配管される。
【００１８】
図１に示されるように、ケーシング７１には操作部７５が設けられている。操作部７５は、ケーシング７１の下端部に配置されている。操作部７５は、ユーザーが操作を行なう部分として定義される。つまり、操作部７５としては、給湯装置７の機能を発揮させる操作を行なうための部分だけではなく、ユーザーが必要に応じて操作する部分も含まれる。例えば、操作部７５は、給湯装置７からの出湯の開始及び停止を切り換えるための入切スイッチ７５１、ガス量調節ハンドル７５２、水量調節ハンドル７５３、ガスバーナーの点火を行なうための乾電池を収容する乾電池ケース７５４の開閉蓋などが挙げられる。
【００１９】
図２に示されるように、ケーシング７１の左右両側面の下端部には、吸気口７６が設けられている。吸気口７６は、ケーシング７１の内外を連通する。吸気口７６は、ケーシング７１のプレス加工時に打ち抜きにより形成した上下に長いスリットで構成されている。このスリットは、ケーシング７１の各側面に設けられており、前後方向に並ぶように複数設けられている。ケーシング７１内に設けられたガスバーナーには、この吸気口７６を介して外部から燃焼用の空気が供給されるようになっている。
【００２０】
給湯装置カバー１は、ガスこんろのこんろバーナーの燃焼時に発生する燃焼ガスや輻射熱により、給湯装置７が加熱されるのを防ぐためのものである。
【００２１】
給湯装置カバー１は、こんろ台９１よりも上方の壁面９０に沿って設けられる。給湯装置カバー１は、加熱機器８と給湯装置７との間に配置される。給湯装置カバー１は、ステンレス鋼板、琺瑯仕上げした鉄板、耐熱塗装を施した鉄板、アルミ板等によって形成され、金属製である。給湯装置カバー１は、図１に示されるように、下壁２と、前壁３と、側壁４と、操作用開口３４とを備えている。
【００２２】
下壁２は、給湯装置７の下方に隙間を介して配置されている。下壁２の左右方向の長さは、給湯装置７の左右方向の長さ（幅）よりも、長く形成されている。下壁２の前後方向の長さは、給湯装置７の前後方向の長さ（厚さ）よりも短く形成されている。なお、下壁２の前後方向の長さは、給湯装置７の前後方向の長さよりも長く形成されていてもよい。
【００２３】
下壁２は、配管挿通部２１を有している。下壁２は、配管挿通部２１として、ガス管挿通部２２と、給水管挿通部２３とを備えている。ガス管挿通部２２及び給水管挿通部２３は、下壁２を上下方向に貫通している。ガス管挿通部２２には、ガス管９２が挿通される。給水管挿通部２３には、給水管９３が挿通される。ガス管挿通部２２及び給水管挿通部２３は、下壁２の後方側の端縁から略Ｕ字状に切欠されて形成されている。
【００２４】
前壁３は、図２に示されるように、給湯装置７の前方に隙間を介して配置されている。前壁３は、下板部３１と、上板部３３とを備えている。下板部３１は、下壁２の前端部から斜め上方に向かって形成されている。言い換えると、下板部３１は、前方に向かうほど上方に位置するよう傾斜している。上板部３３は、下板部３１の前端部から鉛直上方に向かって形成されている。下板部３１は、操作部７５としての乾電池ケース７５４の開閉蓋に対向配置されている。言い換えると、前壁３は、下壁２の前端部から上方に向かって設けられると共に、操作部７５に対向配置されている。
【００２５】
なお、前壁３の左右方向の長さは、給湯装置７の左右方向の長さよりも長く形成されている。
【００２６】
前壁３の下板部３１は、上板部３３とは別部材となっている。下板部３１の下端には、回動軸３２が設けられている。回動軸３２の軸方向は、正面視左右方向に平行となっている。回動軸３２は、下板部３１を側壁４に軸廻りに回動自在に連結する。言い換えると、前壁３の一部は、開閉自在となっている。
【００２７】
下板部３１が下方に回動すると、下壁２と上板部３３との間に操作用開口３４が開口する。下板部３１が上方に回動すると、操作用開口３４が閉じられる。ユーザーは、この操作用開口３４を通して、給湯装置７の乾電池ケース７５４を操作できる。言い換えると、この操作用開口３４は、前壁３により開閉自在に閉塞されている。
【００２８】
下板部３１は、固定片３５を有している。固定片３５は、操作用開口３４を閉じた状態で、下板部３１の前端部から上板部３３に沿うよう上方に向かって延出している。固定片３５は、上板部３３の前面に重なる。固定片３５には、挿通孔３６が設けられている。上板部３３には、挿通孔３６に対応する箇所にねじ孔３７が設けられている。固定片３５の挿通孔３６には、ねじ具３８が挿通される。ねじ具３８は、挿通孔３６に通された状態で、ねじ孔３７にねじ込まれる。これにより、下板部３１は、操作用開口３４を閉じた状態で保持される。なお、ねじ具３８には、例えば、化粧ねじが用いられる。
【００２９】
側壁４は、前壁３の上板部３３及び下壁２に接続されている。側壁４は、給湯装置７の側方に配置される。側壁４は、給湯装置７との間に隙間が介在するよう配置される。言い換えると、側壁４は、給湯装置７の吸気口７６との間に隙間を介して配置される。これにより、給湯装置７の吸気口７６を塞ぐことがなく、給湯装置７に燃焼のための空気を導入することができる。
【００３０】
側壁４の後端部には、フランジ部４１が設けられている。フランジ部４１は、側壁４の上下方向の略全長に亙って設けられている。フランジ部４１には、ねじ挿通孔４２が上下に複数穿設されている。各フランジ部４１の後面を壁面９０に当接し、各ねじ挿通孔４２に前方から挿入したねじ（不図示）を壁面９０にねじ込むことで、各フランジ部４１は壁面９０に固着され、これにより給湯装置カバー１は壁面９０に固定される。
【００３１】
なお、前壁３の上縁は、給湯装置７の入切スイッチ７５１、ガス量調節ハンドル７５２、及び水量調節ハンドル７５３の夫々の上端よりも下方に位置している。これにより、給湯装置７の入切スイッチ７５１、ガス量調節ハンドル７５２、及び水量調節ハンドル７５３の上部が露出している。
【００３２】
以上説明したように、本実施形態の給湯装置カバー１は、給湯装置７に用いられるものである。給湯装置７は、加熱機器８の上方に設置されており、また操作部７５を有している。給湯装置カバー１は、下壁２と、前壁３とを備えている。下壁２は、給湯装置７の下方に配置されている。前壁３は、下壁２の前端部から上方に向かって設けられており、また、操作部７５に対向配置されている。前壁３の一部が開閉自在となっている。
【００３３】
このように本実施形態の給湯装置カバー１は、前壁３の一部が開閉自在となっているため、ユーザーが操作部７５を操作しようとした場合に、前壁３の一部を開放することができる。これにより、ユーザーは、操作部７５が前壁３に覆われていたとしても、簡単に操作することができるようになる。
【００３４】
また、本実施形態の給湯装置カバー１は、操作部７５としての入切スイッチ７５１、ガス量調節ハンドル７５２、及び水量調節ハンドル７５３を下方から覆っているため、加熱機器８からの輻射熱や燃焼ガスにより、操作部７５が加熱されるのを防ぐことができる。したがって、ユーザーは、操作部７５を手指で操作しようとした場合であっても、不快に感じにくくなる。
【００３５】
本実施形態の加熱機器８は燃焼機器８０である。この場合、給湯装置カバー１が設けられていないと、操作部７５やケーシング７１が加熱される問題以外にも、次のような問題が生じる。すなわち、燃焼機器８０の上方に給湯装置７が配置されると、燃焼機器８０の使用中には、燃焼ガスが上昇して給湯装置７の周囲に滞留する場合がある。この状態で給湯装置７が使用されると、給湯装置７は、吸気口７６から酸素濃度の低い空気を吸い込んで、この酸素濃度の低い空気をガスバーナーに供給してしまう。このため、給湯装置７内のガスバーナーは不完全燃焼を起こす可能性がある。
【００３６】
しかしながら、本実施形態の給湯装置カバー１は、側壁４が給湯装置７の吸気口７６の側方を覆っているため、燃焼機器８０から上昇した燃焼ガスが、直接、吸気口７６に流入しにくくすることができる。しかも、本実施形態の給湯装置カバー１は、上方に向かって開放している。このため、給湯装置７は、給湯装置カバー１に覆われていたとしても、給湯装置７の周囲に存在する新鮮な空気を、吸気口７６から吸い込むことができる。
【００３７】
また、ガスこんろから上昇した燃焼ガスは、前壁３の傾斜した下板部３１に沿って給湯装置７から離れる方向に偏向される。このため、給湯装置７のケーシング７１と装置カバー部の前壁３の上縁との間における圧力は、前壁３の下板部３１を鉛直にした場合と比較してごく微圧ながら低下する。従って、給湯装置７の周囲に存在する新鮮な空気は、給湯装置カバー１の内部に上方から流入し易くなり、これにより給湯装置７の操作部７５は一層加熱され難くなり、また、吸気口７６には新鮮な空気が供給されやすくなる。
【００３８】
なお、給湯装置７に接続された出湯管９４は、ガス管９２や給水管９３と同様、給湯装置カバー１に配管挿通部２１を形成して、この配管挿通部２１から外部に導出してもよい。また給湯装置カバー１に内外を連通する継手を取り付け、継手の内側の開口に、給湯装置７に接続された出湯管９４を接続し、継手の外側の開口に、別の出湯管を配管するようにしてもよい。
【００３９】
次に、実施形態２について図３，４に基づいて説明する。なお、本実施形態は実施形態１と大部分において同じであるため、同じ部分においては同符号を付して説明を省略し、主に異なる部分について説明する。
【００４０】
本実施形態の給湯装置カバー１は、前壁３の下板部３１の回動軸３２が、上端部に設けられている点で実施形態１とは異なっている。その他の構成は、実施形態１と同じである。
【００４１】
給湯装置カバー１は、操作用開口３４を有している。操作用開口３４は、操作部７５としての乾電池ケース７５４に対向している。
【００４２】
前壁３は、上板部３３と下板部３１とを備えている。下板部３１は、回動軸３２を有している。回動軸３２は、下板部３１の上端部に設けられている。回動軸３２は、上板部３３の下方に配置される。回動軸３２は、下板部３１を側壁４に回動自在に連結する。下板部３１は、操作用開口３４を開閉自在に閉塞する。
【００４３】
下板部３１は、左右方向の両端部に固定片３５を有している。この固定片３５は、下板部３１の左右方向の両端部から側壁４の外側に重なるよう後方側に向かって延出している。固定片３５には、挿通孔３６が設けられている。側壁４には、挿通孔３６に対応する箇所にねじ孔３７が設けられている。固定片３５の挿通孔３６には、ねじ具３８が挿通され、ねじ孔３７にねじ込まれる。なお、ねじ具３８には、例えば、化粧ねじが用いられる。
【００４４】
本実施形態の給湯装置カバー１は、前壁３の下板部３１が下方に回動することで、操作用開口３４が閉塞する。また、下板部３１が上方に回動することで、操作用開口３４が開放する。
【００４５】
このように本実施形態の給湯装置カバー１は、前壁３の下板部３１が上方に向かって回動することで、操作用開口３４が開放する。このため、開放した状態の下板部３１は、ユーザーが把持していない状態では、自重により下方に回動する。つまり、仮にユーザーが下板部３１を閉め忘れた場合であっても、ある程度、操作用開口３４が閉じられるため、この場合であっても、防熱効果を得ることができる。
【００４６】
次に、実施形態３について図５，６に基づいて説明する。なお、本実施形態は実施形態１と大部分において同じであるため、同じ部分においては同符号を付して説明を省略し、主に異なる部分について説明する。
【００４７】
本実施形態の給湯装置カバー１は、前壁３の下板部３１がスライド自在となっている点で実施形態１とは異なっている。その他の構成は、実施形態１と同じである。
【００４８】
給湯装置カバー１は、操作用開口３４を有している。操作用開口３４は、操作部７５としての乾電池ケース７５４に対向している。
【００４９】
側壁４は、前壁３の下板部３１をスライド自在に保持するガイドレール４３を有している。ガイドレール４３は、各側壁４の前端にそれぞれ配置されている。ガイドレール４３は、前方に向かうほど上方に位置するよう傾斜している。各ガイドレール４３は、一対の対向片を有している。前壁３の下板部３１は、左右方向の端部が対向片の間に挿入されることで、ガイドレール４３にスライド自在に嵌挿されている。
【００５０】
前壁３は、上板部３３と下板部３１とを備えている。下板部３１は、ガイドレール４３に沿ってガイドレール４３の長手方向に移動自在となっている。これにより、下板部３１は、操作用開口３４を開閉自在に閉塞している。
【００５１】
前壁３の下板部３１は、把持部３３１を有している。把持部３３１は、下板部３１の上端に設けられている。把持部３３１により、ユーザーは、把持部３３１を手指で掴んで下板部３１を引き出し、操作用開口３４を開放することができる。
【００５２】
なお、実施形態１〜３の前壁３は、一部が開閉自在となっていたが、本発明においては、前壁３の全部を開閉自在としたものであってもよい。つまり、前壁３の上板部３３が設けられていなくてもよい。
【００５３】
また、実施形態１〜３の前壁３は、下板部３１が移動することで、操作用開口３４が開口するよう構成されていたが、本発明においては、下板部３１の一部に操作用開口３４を設け、その操作用開口３４を開閉自在とする扉部を設けたものであってもよい。
【００５４】
また、本実施形態の前壁３の下板部３１は、操作部７５として乾電池ケース７５４に対向していたが、前壁３の上板部３３をさらに上方に延出して、この上板部３３によって、操作部７５としての入切スイッチ７５１・ガス量調節ハンドル７５２・水量調節ハンドル７５３をすべて覆い、この操作部７５に対向する上板部３３の一部に操作用開口３４を設け、前壁３の一部としての扉部により、この操作用開口３４を開閉自在に閉塞してもよい。
【００５５】
また、実施形態１〜３の給湯装置カバー１は、前壁３の下板部３１が傾斜していたが、本発明において、前壁３は、鉛直であってもよい。また、実施形態１〜３の給湯装置カバー１は、後方に開口した形状となっていたが、前後左右方向に開口しない筒状に形成されていてもよい。
【符号の説明】
【００５６】
１      給湯装置カバー
２      下壁
２１    配管挿通部
２２    ガス管挿通部
２３    給水管挿通部
３      前壁
３１    下部
３２    回動軸
３３    上部
３３１  把持部
３４    操作用開口
３５    固定片
３６    挿通孔
３７    ねじ孔
３８    ねじ具
４      側壁
４１    フランジ部
４２    ねじ挿通孔
４３    ガイド部
７      給湯装置
７１    ケーシング
７２    ガス管接続口部
７３    給水管接続口部
７４    出湯管接続口部
７５    操作部
７５１    入切スイッチ
７５２    ガス量調節ハンドル
７５３    水量調節ハンドル
７５４    乾電池ケース
７６      吸気口
８      加熱機器
８０    燃焼装置
８１    燃焼部
９０    壁面
９１    こんろ台
９２    ガス管
９３    給水管
９４    出湯管
【図１】
2014009863.tif 000003
【図２】
2014009863.tif 000004
【図３】
2014009863.tif 000005
【図４】
2014009863.tif 000006
【図５】
2014009863.tif 000007
【図６】
2014009863.tif 000008